(57)【要約】【課題】緊急時にすぐに避難することができ、さらに避難場所に有害物質が流入することを防ぎ、避難場所での長時間の滞在を可能とする。【解決手段】シェルターと、前記シェルター上部に配設された天板と、前記シェルター側部に設けられ、シェルター室内への出入を可能とするドアと、前記シェルターの外部に設けられたコンプレッサーと、を備え、前記天板は、テーブルとして機能するように形成されており、前記コンプレッサーからフィルターを通してシェルター室外の空気がシェルター室内に送り込まれることによって、前記シェルター室内の空気圧を陽圧に保つ。【選択図】図１
2019180905.tif 000002
【特許請求の範囲】
【請求項１】
シェルターと、
前記シェルター上部に配設された天板と、
前記シェルター側部に設けられ、シェルター室内への出入を可能とするドアと、
前記シェルターの外部に設けられたコンプレッサーと、
を備え、
前記天板は、テーブルとして機能するように形成されており、
前記コンプレッサーからフィルターを通してシェルター室外の空気がシェルター室内に送り込まれることによって、前記シェルター室内の空気圧を陽圧に保つことを特徴とするシェルター付き家具。
【請求項２】
前記ドアは、２つの対向する前記シェルター側部にそれぞれ設けられていることを特徴とする請求項１記載のシェルター付き家具。
【請求項３】
シェルターと、
前記シェルター側部に設けられ、シェルター室内への出入を可能とするドアと、
前記シェルターの外部に設けられたコンプレッサーと、
を備え、
前記シェルター上部はマットレスを載置することができるように形成されており、
前記コンプレッサーからフィルターを通してシェルター室外の空気がシェルター室内に送り込まれることによって、前記シェルター室内の空気圧を陽圧に保つことを特徴とするシェルター付き家具。
【請求項４】
前記シェルター室内に設置された冷房設備と、
前記冷房設備に接続されたドレンホースと、
前記冷房装置から発生したドレン水が前記ドレンホースを通じて流れ込み、かつ、シェルター室内の側壁、頂壁又は底壁に設けられたドレン水排出口と、
前記ドレン水排出口を開閉可能にする排出口開閉部と、
を備え、
前記排出口開閉部を開くと、シェルター室内の陽圧の効果により、ドレンホースより流れ込んだドレン水がドレン水排出口を通じてシェルター室外に排出可能であることを特徴とする請求項１〜３のいずれか１項に記載のシェルター付き家具。
【発明の詳細な説明】
【技術分野】
【０００１】
本発明は、テーブル又はベッドとして使用でき、さらにシェルターとしても使用できるシェルター付き家具に関するものである。
【背景技術】
【０００２】
地震などの災害が突発的に発生した場合に、耐震シェルターに避難することで安全を確保することができる。
【０００３】
しかし、会社、学校、家などの屋内にいる場合には、咄嗟に屋外や地下に設置のシェルターに逃げ込むことができない。一方、耐震シェルターを屋内に設置しておくことも考えられるが、限られた屋内のスペースに設置場所を確保することが難しい問題がある。
【０００４】
特許文献１では、シェルター兼用のテーブル類の発明を公開している。特許文献１の発明によれば、平時は、屋内に設置して通常のテーブル類として使用することができ、地震発生時に、この耐震シェルター兼用テーブル類の内下部へもぐり込めば、十分に身の安全を確保することができる。
【先行技術文献】
【特許文献】
【０００５】
【特許文献１】実用新案登録第３１２２５８４号公報
【発明の概要】
【発明が解決しようとする課題】
【０００６】
しかし、特許文献１の発明では、シェルター室外に有毒ガスなどの汚染物質が充満し、汚染物質がシェルターに流入してくる場合等、シェルターに滞在することで危険に晒される可能性がある。
【課題を解決するための手段】
【０００７】
本発明はこれらの課題を解決するもので、
シェルターと、
前記シェルター上部に配設された天板と、
前記シェルター側部に設けられ、シェルター室内への出入を可能とするドアと、
前記シェルター室外に設けられたコンプレッサーと、
を備え、
前記天板は、テーブルとして機能するように形成されており、
前記コンプレッサーからフィルターを通してシェルター室外の空気がシェルター室内に送り込まれることによって、前記シェルター室内の空気圧を陽圧に保つことを特徴とする。
【０００８】
前記ドアは、２つの対向する前記シェルター側部にそれぞれ設けられていることを特徴とする請求項１記載のシェルター付き家具。
【０００９】
シェルターと、
前記シェルター側部に設けられ、シェルター室内への出入を可能とするドアと、
前記シェルターの外部に設けられたコンプレッサーと、
を備え、
前記シェルター上部はマットレスを載置することができるように形成されており、
前記コンプレッサーからフィルターを通してシェルター室外の空気がシェルター室内に送り込まれることによって、前記シェルター室内の空気圧を陽圧に保つことを特徴とする。
【００１０】
前記シェルター室内に設置された冷房設備と、
前記冷房設備に接続されたドレンホースと、
前記冷房装置から発生したドレン水が前記ドレンホースを通じて流れ込み、かつ、シェルター室内の側壁、頂壁又は底壁に設けられたドレン水排出口と、
前記ドレン水排出口を開閉可能にする排出口開閉部と、
を備え、
前記排出口開閉部を開くと、シェルター室内の陽圧の効果により、ドレンホースより流れ込んだドレン水がドレン水排出口を通じてシェルター室外に排出可能であることを特徴とする。
【発明の効果】
【００１１】
本発明によると、平時にはシェルター上部に配設された天板により、テーブルとして使用することができる。また、シェルター上部にマットレスを載置することにより、ベッドとして使用することができる。そのため、屋内のスペースに邪魔にならずに設置することができ、緊急時にはすぐにシェルターに避難することが可能となる。
【００１２】
コンプレッサーからフィルターを通してシェルター室外の空気がシェルター室内に送り込まれ、前記シェルター室内の空気圧を陽圧に保つことにより、シェルター室外の有害物質が、シェルター室内に流入することを防ぐことができる。
そのため、シェルター室外に有害物質が存在していても、有害物質がシェルター室内まで流入することがないため、シェルター室内での長時間の滞在を可能とする。
【００１３】
ドアは、２つの対向する前記シェルター側部にそれぞれ設けられていることによって、避難者がテーブルのどの位置にいてもすぐにシェルター室内に避難することができる。
【００１４】
シェルター室内を陽圧にすることで、シェルター室内の室温が上がりやすくなる。そのため、シェルター室内に設置された冷房設備が必要となるが、冷房設備から排出されるドレン水の処理が問題となる。このドレン水をタンクに貯めてシェルター室外に捨てるには、一旦ドアを開けてシェルター室外に出る必要がある。そうすると、避難者がシェルター室外の有害物質に晒される危険性がある。
そこで、シェルター室内に設置された冷房設備と、冷房設備に接続されたドレンホースと、
冷房装置から発生したドレン水が前記ドレンホースを通じて流れ込み、かつ、シェルター室内の側壁、頂壁又は底壁に設けられたドレン水排出口と、ドレン水排出口を開閉可能にする排出口開閉部と、を備え、
前記排出口開閉部を開くと、シェルター室内の陽圧の効果により、ドレンホースより流れ込んだドレン水がドレン水排出口を通じてシェルター室外に排出可能にすることで、シェルター室外に出なくても、ドレン水をドレン水排出口から捨てることができる。
つまり、排出口開閉部を開くと、シェルター室内の陽圧効果により、ドレン水が排出口から排出される。シェルター室内の陽圧が保たれている間にドレン水を排出すれば、室内の密閉が保たれることからドレン水を排出しても、シェルター室外の有害物質がシェルター室内に流入する事を防ぐことができる。
【００１５】
このように、本発明は、緊急時にすぐに避難することができ、避難場所、つまりシェルター室内に有害物質が流入することを防ぐことから、避難場所での長時間の滞在が可能になる効果がある。
【図面の簡単な説明】
【００１６】
【図１】図１はシェルター付き家具の実施例１を示した正面図である。
【図２】図２はシェルター付き家具の実施例１を示した左側面図である。
【図３】図３はシェルター付き家具の実施例２を示した斜視図である。
【図４】図４はシェルター付き家具の実施例１のシェルター室内の図である。
【図５】図５はシェルター付き家具の実施例１の排出口開閉部の閉状態の図である。
【図６】図６はシェルター付き家具の実施例１の排出口開閉部の開状態の図である。
【発明を実施するための形態】
【００１７】
図１はシェルター付き家具の実施例１の正面図を示す。図２はシェルター付き家具の実施例１の左側面図を示す。図３はシェルター付き家具の実施例２の斜視図を示す。
【００１８】
本発明の実施例１の構成を以下に示す。
シェルター付き家具１は、シェルター１０と、そのシェルター上部１２に配設された天板２０と、シェルター１０の側部１１に設けられ、シェルター室内１３への出入を可能とするドア４０と、シェルター１０の外部に設けられたコンプレッサー３０から構成されている。
ドア４０は、２つの対向する前記シェルター側部１１にそれぞれ設けられている。
図１の破線で示したドア４０は、正面に設置されたドア４０の反対側に設置されていることを示している。
【００１９】
天板２０は、テーブルとして機能するように形成されている。
【００２０】
コンプレッサー３０からフィルター（不図示）を通してシェルター室外１４の空気がシェルター室内１２に送り込まれる。
それにより、シェルター室内１３の空気圧を陽圧に保つことができる。
【００２１】
なお、陽圧とは、シェルター室内１３の方が、シェルター室外１４と比べて空気圧が高い状態を指す。
【００２２】
フィルターは、活性炭素繊維製のフィルターなど、有害物質が除去できる任意のものを使用することができる。
【００２３】
本発明の実施例２の構成を以下に示す。
シェルター付き家具２は、シェルター１０と、そのシェルター上部１２に配設された天板２０と、シェルター１０の側部１１に設けられ、シェルター室内１３への出入を可能とするドア４０と、シェルター１０の外部に設けられたコンプレッサー３０から構成されている。
シェルター上部１２はマットレス２１を載置することができるように形成されている。
【００２４】
図４はシェルター付き家具の実施例１のシェルター室内の図を示す。図５はシェルター付き家具の実施例１の排出口開閉部の閉状態の図を示す。図６はシェルター付き家具の実施例１の排出口開閉部の開状態の図を示す。
【００２５】
シェルター室内１３には、冷房設備５０設置され、冷房設備５０にはドレンホース５１が接続されている。
さらにドレンホース５１の先には、ドレン水タンク５２が備えられドレン水を一時的に貯水できる。
シェルター室内の側壁１５にはドレン水排出口５３が設けられている。ドレン水排出口５３は、側壁１５以外にも、頂壁１７又は底壁１６に設けてもよい。
【００２６】
ドレン水排出口５３には、排出口開閉部６０が設置されている。本実施例では、排出口開閉部６０には手動のボールバルブを採用しているが、電源で開閉ができる電磁弁でもよい。
【００２７】
なお、ドレン水とは、空気中の水蒸気が熱を失って凝縮した水のことである。冷房設備内で、圧縮され高温化した空気が配管内で自然冷却され発生する。
【００２８】
次に、本発明の実施例１、実施例２の使用方法を説明する。
【００２９】
実施例１のシェルター付き家具１は、平時には、天板２０をテーブルとして使用することができる。また、実施例２のシェルター付き家具２は、シェルター上部１２にマットレス２１を載置することができるため、ベッドとして使用することができる。
【００３０】
地震などの災害が起こった緊急時には、ドア４０からシェルター室内１３にすぐに避難することができる。図２に示すように向かいあって椅子７０に座っている場合であっても、どちら側でもすぐにドア４０から避難することができる。シェルター室内１３に避難後には、コンプレッサー３０を起動させることにより、コンプレッサー３０からフィルター（不図示）を通して有害物質が除去された空気がシェルター室内１３に送り込まれる。
それにより、シェルター室内１３を陽圧に保つことができ、シェルター室外１４からの有害物質の流入を防ぐことができる。
なお、ドア４０は内開きであれば、瓦礫などがドア４０のすぐ側にあったとしても、内側から開けることができる。
【００３１】
シェルター室内１３を陽圧にすることで、シェルター室内１３の室温が上がりやすくなる。その際には、シェルター室内１３に設置された冷房設備５０を使用することができる。
冷房設備５０を使用すると、空気中の水蒸気が凝縮されドレン水が発生する。ドレン水は、ドレンホース５１を通じてドレン水タンク５２に流れ込み、最終的にはドレン水排出口５３からシェルター室外１４に排出される。
ドレン水排出口５３は、通常は、排出口開閉部６０を閉状態にしているため、シェルター室外１４とシェルター室内１３とを連通させていない状態になっている。
図６のように、排出口開閉部６０を開状態にすることにより、シェルター室外１４とシェルター室内１３とを連通させることができる。
【００３２】
ドレン水をドレン水タンク５２に一時的に貯水したいときには、排出口開閉部６０を閉状態にする。ドレン水タンク５２にドレン水がある程度貯まってきた場合には、排出口開閉部６０を開状態にする。そうすると、シェルター室内１３の陽圧効果により、ドレン水がドレン水排出口５３からシェルター室外１４に押し出され排出される。
それにより、シェルター室外１４に出なくても、ドレン水を排出口から捨てることができる。
シェルター室内１３の陽圧が保たれている間にドレン水を排出すれば、シェルター室内１３の密閉が保たれることから、ドレン水を排出しても、シェルター室外１４の有害物質がシェルター室内１３に流入する事を防ぐことができる。
【符号の説明】
【００３３】
１        実施例１のシェルター付き家具
２        実施例２のシェルター付き家具
１０      シェルター
１１      シェルター側部
１２      シェルター上部
１３      シェルター室内
１４      シェルター室外
１５      シェルター室内の側壁
１６      シェルター室内の底壁
１７      シェルター室内の頂壁
２０      天板
２１      マットレス
３０      コンプレッサー
４０      ドア
５０      冷房設備
５１      ドレンホース
５２      ドレン水タンク
５３      ドレン水排出口
６０      排出口開閉部    
【図１】
2019180905.tif 000003
【図２】
2019180905.tif 000004
【図３】
2019180905.tif 000005
【図４】
2019180905.tif 000006
【図５】
2019180905.tif 000007
【図６】
2019180905.tif 000008